(57)【特許請求の範囲】
【請求項１】
壁に、互いに隣接する外装材を合じゃくり実矧ぎによって接合して取付ける外装材取付金具であって、
壁に、この壁の外面に対して所定間隔毎に取り付けられる複数の胴縁を介して、かつ、これら胴縁と直交して取付けられる長尺な金具本体と、
この金具本体に設けられ、互いに隣接する外装材のうち、一方の外装材の端部に形成された外側実部よりも内側において、該一方の外装材の端部に係合する係合部と、
前記金具本体に設けられ、前記外側実部の内側に配置される内側実部が端部に形成された他方の外装材を、該外装材の内面から支持する支持面とを備えており、
前記金具本体には、該金具本体を、前記複数の胴縁を介して壁に固定するための固定部が設けられており、
この固定部は、該金具本体の長手方向に沿って所定間隔毎に形成されるとともに、各胴縁の外装材取付金具を支持する支持面から外方に突出するようにして設けられる取付具に対してそれぞれ係止される長穴であり、
前記金具本体には、前記支持面よりも前記一方の外装材側において、該一方の外装材側に向かうに従い、内側に傾斜する傾斜面が形成されていることを特徴とする外装材取付金具。
【請求項２】
請求項１記載の外装材取付金具において、
前記係合部は、
前記一方の外装材の端部の内面を受ける受け面と、
前記金具本体にほぼ直角に立設されて、前記一方の外装材における外側実部よりも内側の端面の他方の外装材側への移動を規制する規制部と、
この規制部の先端に設けられて、前記一方の外装材における外側実部よりも内側の端面に形成された溝部に挿入される挿入部とを備えていることを特徴とする外装材取付金具。
【請求項３】
請求項１または２に記載の外装材取付金具を用いて、壁に、互いに隣接する外装材が合じゃくり実矧ぎによって接合されて取付けられた外装材取付構造であって、
一方の外装材は、該一方の外装材の外側実部よりも内側の端部が、前記外装材取付金具の係合部に係合されるとともに、該外装材取付金具の金具本体が壁に取付けられることで固定されており、
他方の外装材は、その内側実部が前記一方の外装材の外側実部の内側に配置されるとともに、他方の外装材の内面が前記外装材取付金具の支持面により支持されていることを特徴とする外装材取付構造。
【請求項４】
請求項３記載の外装材取付構造において、
前記外側実部の内面と前記内側実部の外面との間隔には、該間隔からの浸水を防止する防水手段が介装されていることを特徴とする外装材取付構造。
【請求項５】
請求項３または４記載の外装材取付構造において、
前記外装材取付金具は、その固定部により胴縁に取付けられており、この胴縁を介して、壁に取付けられていることを特徴とする外装材取付構造。
【請求項６】
請求項１または２に記載の外装材取付金具を用いて、壁に、互いに隣接する外装材を合じゃくり実矧ぎによって接合して取付ける外装材取付方法であって、
先ず、一方の外装材の外側実部よりも内側において、該一方の外装材の端部に前記外装材取付金具の係合部を係合させるとともに、該外装材取付金具の金具本体を壁に取付けることで該一方の外装材の一端を固定し、
次いで、他方の外装材の内側実部を前記一方の外装材の外側実部の内側に配置するとともに、該他方の外装材の内面を前記外装材取付金具の支持面により支持させることを特徴とする外装材取付方法。
【請求項７】
請求項１または２に記載の外装材取付金具を用いて、壁に、互いに隣接する外装材を合じゃくり実矧ぎによって接合して取付ける外装材取付方法であって、
先ず、一方の外装材の外側実部よりも内側において、該一方の外装材の端部に前記外装材取付金具の係合部を係合させるとともに、該外装材取付金具の金具本体を壁に取付けることで該一方の外装材の一端を固定し、
次いで、他方の外装材を傾けた状態で、該他方の外装材の内側実部を、前記傾斜面に沿って外側実部の内側に入り込ませ、
次いで、他方の外装材を前記一方の外装材と略同一面に含まれるように倒して、該他方の外装材の内面を前記外装材取付金具の支持面により支持させることを特徴とする外装材取付方法。
【発明の詳細な説明】
【０００１】
【発明の属する技術分野】
本発明は、外装材を住宅の壁体に取り付けるための外装材取付金具、この外装材取付金具を用いた外装材取付構造、および外装材取付方法に関するものである。
【０００２】
【背景の技術】
近年、住宅等の建物の構築においてはその工業化が進み、例えば、壁や床、屋根といった構成要素を予め工場にてパネル化しておき、施工現場でこれらのパネルを組み立てることにより、建物を構築するといったパネル工法が一部に採用されている。
このようなパネル工法に用いられるパネルとして、例えば、図６に示すような壁パネル１００が知られている。
この壁パネル１００は、縦框材１０１，１０１と横框材１０２，１０２とが矩形状に組み立てられるとともに、この矩形枠の内部に補強芯材１０３，…が縦横に組まれて枠体１０４が形成され、さらにこの枠体１０４内にグラスウール等の断熱材（図示省略）が充填された状態で枠体１０４の表裏面に合板等の面材１０５，１０５が貼設されたものである。
【０００３】
このような壁パネル１００の外面に外装材を取付ける従来の技術としては、例えば、特開平９−７２０６３号公報に示されるものがある。
即ち、図７および図８に示すように、一方の外装材１１０には、外側実部１１２が形成されており、他方の外装材１１８には内側実部１２８が形成されている。
これら外装材１１８および外装材１１０は、内側実部１２８の外側に外側実部１１２が位置するようにして、防水シート２０を介して、例えば、釘打ち等により壁パネル１６４，１６８および半胴差１２２，１３２に対して取付けられている。また、外側実部１１２と内側実部１２８との間隔には、シール材１１４，１２６が配されている。
【０００４】
【発明が解決しようとする課題】
しかしながら、上記の従来の技術では、釘打ち等により外装材１１８，１１０を取付けるようにしているので、外装材１１８，１１０どうしを合いじゃくり実矧ぎによって接合しつつ、これら外装材１１８，１１０を壁に取付けるのに手間がかかるという問題があった。
【０００５】
本発明は上記問題点を解決するためになされたものであって、外装材どうしを合いじゃくり実矧ぎによって接合しつつこれら外装材を壁に容易に取付けることができる外装材取付金具、外装材取付構造および外装材取付方法を提供することを目的とする。
【０００６】
【課題を解決するための手段】
上記目的を達成するために、例えば図１および図２に示すように、本発明の請求項１記載の外装材取付金具１０は、壁（例えば壁パネル１００）に、互いに隣接する外装材２，３を合じゃくり実矧ぎによって接合して取付ける外装材取付金具１０であって、壁１００に、この壁１００の外面に対して所定間隔毎に取り付けられる複数の胴縁２０を介して、かつ、これら胴縁２０と直交して取付けられる長尺な金具本体１１と、この金具本体１１に設けられ、互いに隣接する外装材２，３のうち、一方の外装材２の端部に形成された外側実部２ａよりも内側において、該一方の外装材２の端部に係合する係合部１２と、前記金具本体１１に設けられ、前記外側実部２ａの内側に配置される内側実部３ａが端部に形成された他方の外装材３を、該外装材３の内面３ｂから支持する支持面１６とを備えており、前記金具本体１１には、該金具本体１１を、前記複数の胴縁２０を介して壁１００に固定するための固定部１８が設けられており、この固定部１８は、該金具本体１１の長手方向に沿って所定間隔毎に形成されるとともに、各胴縁２０の外装材取付金具１０を支持する支持面２１から外方に突出するようにして設けられる取付具２５，…に対してそれぞれ係止される長穴であり、
前記金具本体１１には、前記支持面１６よりも前記一方の外装材２側において、該一方の外装材２側に向かうに従い、内側に傾斜する傾斜面１７が形成されていることを特徴としている。
【０００７】
請求項１記載の外装材取付金具１０においては、互いに隣接する外装材２，３のうち、一方の外装材２の端部に形成された外側実部２ａよりも内側において、該一方の外装材２の端部に係合する係合部１２が金具本体１１に設けられているので、該係合部１２を一方の外装材２の端部２ｂに係合させることにより、容易に、該一方の外装材２の一端を固定できる。また、外側実部２ａの内側に配置される内側実部３ａが端部に形成された他方の外装材３を、その内面３ｂから支持する支持面１６が、金具本体１１に設けられているので、この支持面１６により他方の外装材３の内面３ｂを支持させて、容易に、該他方の外装材３を取付けることができる。つまり、上記のようにして、外装材２，３，…どうしを合いじゃくり実矧ぎによって接合しつつ、これら外装材２，３，…を壁１００に容易に取付けることができる。
また、金具本体１１には、該金具本体１１を壁１００に固定するための固定部１８が設けられているので、この固定部１８により金具本体１１を壁１００に固定することができる。
この際、固定部１８により金具本体１１を胴縁２０に固定して、この胴縁２０を介して外装材取付金具１０を壁１００に取付けることとしても良いし、固定部１８により金具本体１１を壁１００に直接取付けることとしても良い。固定部１８は、例えば、金具本体１１に形成された長穴であり、胴縁２０、または壁１００に設けられた（例えばリベット状の）係止部２５に対して係止されるものであるが、例えば、釘打ちにより胴縁２０または壁１００に固定される小穴等であってもよい。
また、金具本体１１には、支持面１６よりも一方の外装材２側において、該一方の外装材２側に向かうに従い、内側に傾斜する傾斜面１７が形成されているので、他方の外装材３を傾けた状態で、該傾斜面１７に沿って、該他方の外装材３の内側実部３ａを一方の外装材２の外側実部２ａの内側に挿入した後、他方の外装材３を一方の外装材２と略同一面に含まれるように倒して、該他方の外装材３の内面を支持面１６により支持させることができる。よって、例えば、他方の外装材３を一方の外装材２と略同一面に含まれる状態にして、この状態のまま他方の外装材３を一方の外装材２側に移動させる必要があるような場合に比べて、他方の外装材３の取付作業を容易に行うことができる。また、このように、他方の外装材３を傾けた状態で、該他方の外装材３の内側実部３ａを一方の外装材２の外側実部２ａの内側に挿入した後、他方の外装材３を倒して、該他方の外装材３を所定位置に配置させることができるので、他方の外装材３の他端側に内側実部３ａの長さ分だけの余裕空間がないような場合にも、他方の外装材３の取付作業を行うことができる。
【０００８】
ここで、外装材取付金具１０は、その全体が一体的に形成されていることが望ましく、例えば、鉄板を抜き打ち、及び折曲加工して一体形成されたものである。外装材２，３，…を縦張りにする場合には、外装材取付金具１０は垂直方向に長尺なものであり、外装材２，３，…の継ぎ目毎に、壁１００に複数配設されるものである。他方、外装材２，３，…を横張りにする場合には、外装材取付金具１０は水平方向に長尺なものであり、外装材２，３，…の継ぎ目毎に、壁１００に複数配設されるものである。また、外装材取付金具１０は、例えば、請求項５記載のように、胴縁２０に固定し、この胴縁２０を介して壁１００に取付けることとしても良いし、壁１００に直接取付けることとしても良い。支持面１６は、内側実部３ａの内面を支持するものであっても良いし、他方の外装材３の内側実部３ａ以外の部位の内面を支持するものであっても良い。一方の外装材２は、その端部の建物の外側に偏った位置に形成され他方の外装材３側に突出する外側実部２ａを有するものである。また、他方の外装材３は、その端部の建物の内側に偏った位置に形成され、一方の外装材２側に突出する内側実部３ａを有するものである。
【００１１】
ここで、傾斜面１７は、係合部１２の基端部の近傍まで形成されていることが望ましい。
【００１２】
請求項２記載の外装材取付金具１０は、請求項１において、前記係合部１２は、前記一方の外装材２の端部の内面２ｃを受ける受け面１３と、前記金具本体１１にほぼ直角に立設されて、前記一方の外装材２における外側実部２ａよりも内側の端面２ｄの他方の外装材３側への移動を規制する規制部１４と、この規制部１４の先端に設けられて、前記一方の外装材２における外側実部２ａよりも内側の端面に形成された溝部２ｅに挿入される挿入部１５とを備えていることを特徴としている。
【００１３】
請求項２記載の外装材取付金具１０においては、係合部１２は、一方の外装材２の端部の内面２ｃを受ける受け面１３と、金具本体１１にほぼ直角に立設されて、一方の外装材２における外側実部２ａよりも内側の端面２ｄの他方の外装材３側への移動を規制する規制部１４と、この規制部１４の先端に設けられて、前記一方の外装材２における外側実部２ａよりも内側の端面に形成された溝部２ｅに挿入される挿入部１５とを備えているので、受け面１３によれば、一方の外装材２の端部の内側への移動を規制でき、規制部１４によれば、該端部の他方の外装材３側への移動を規制でき、挿入部１５によれば、該端部の外側への移動を規制できる。従って、受け面１３と、規制部１４と、挿入部１５の３箇所で、一方の外装材２の端部を確実に固定することができる。
【００１７】
請求項３記載の外装材取付構造は、請求項１または２に記載の外装材取付金具１０を用いて、壁１００に、互いに隣接する外装材が合じゃくり実矧ぎによって接合されて取付けられた外装材取付構造であって、一方の外装材２は、該一方の外装材２の外側実部２ａよりも内側の端部２ｂが、前記外装材取付金具１０の係合部１２に係合されるとともに、該外装材取付金具１０の金具本体１１が壁１００に取付けられることで固定されており、他方の外装材３は、その内側実部３ａが前記一方の外装材２の外側実部２ａの内側に配置されるとともに、他方の外装材３の内面３ｂが前記外装材取付金具１０の支持面１６により支持されていることを特徴としている。
【００１８】
請求項３記載の外装材取付構造においては、一方の外装材２は、該一方の外装材２の外側実部２ａよりも内側の端部２ｂが、係合部１２に係合されるとともに金具本体１１が壁１００に取付けられることで固定されており、他方の外装材３は、その内側実部３ａが前記一方の外装材２の外側実部２ａの内側に配置されるとともに、他方の外装材３の内面３ｂが前記支持面１６により支持されているので、外装材２，３，…どうしを合いじゃくり実矧ぎによって接合して、これら外装材２，３，…を壁１００に容易に、かつ確実に取付けることができる。
【００１９】
請求項４記載の外装材取付構造は、請求項３において、前記外側実部２ａの内面と前記内側実部３ａの外面との間隔には、該間隔からの浸水を防止する防水手段（シール材３０）が介装されていることを特徴としている。
【００２０】
請求項４記載の外装材取付構造においては、外側実部２ａの内面と内側実部３ａの外面との間隔には、該間隔からの浸水を防止する防水手段３０が介装されているので、これら外側実部２ａと内側実部３ａの間隔からの浸水を防止することができる。
【００２１】
ここで、防水手段３０としては、例えば、防水用のホットメルト、あるいはブチルゴムや乾質の防水材などが好適に用いられる。そして、このような防水手段３０が外側実部２ａの内面と内側実部３ａの外面とに亘って圧着されている。
【００２２】
請求項５記載の外装材取付構造は、請求項３または４において、前記外装材取付金具１０は、その固定部１８により胴縁（鋼製胴縁２０）に取付けられており、この胴縁２０を介して、壁１００に取付けられていることを特徴としている。
【００２３】
請求項５記載の外装材取付構造においては、外装材取付金具１０は、その固定部１８により胴縁２０に取付けられており、この胴縁２０を介して壁１００に取付けられているので、壁１００と外装材２，３との間隔に通気領域を設定することができ、該間隔に結露が溜まったりすることを好適に防止できる。また、屋内の湿気のせいで壁１００が含んでしまった水分を外側に逃してやることができる。
【００２４】
ここで、胴縁２０は、例えば、鋼製胴縁２０であることが挙げられるが、木製胴縁であっても良い。
【００２５】
請求項６記載の外装材取付方法は、請求項１または２に記載の外装材取付金具１０を用いて、壁１００に、互いに隣接する外装材２，３を合じゃくり実矧ぎによって接合して取付ける外装材取付方法であって、先ず、一方の外装材２の外側実部２ａよりも内側において、該一方の外装材２の端部２ｂに前記外装材取付金具１０の係合部１２を係合させるとともに、該外装材取付金具１０の金具本体１１を壁１００に取付けることで該一方の外装材２の一端を固定し、次いで、他方の外装材３の内側実部３ａを前記一方の外装材２の外側実部２ａの内側に配置するとともに、該他方の外装材３の内面３ｂを前記外装材取付金具１０の支持面１６により支持させることを特徴としている。
【００２６】
請求項６記載の外装材取付方法においては、先ず、一方の外装材２の外側実部２ａよりも内側において、該一方の外装材２の端部２ｂに係合部１２を係合させるとともに金具本体１１を壁１００に取付けることで該一方の外装材２の一端を固定し、次いで、他方の外装材３の内側実部３ａを一方の外装材２の外側実部２ａの内側に配置するとともに、該他方の外装材３の内面３ｂを支持面１６により支持させることにより、外装材２，３，…どうしを合いじゃくり実矧ぎによって接合しつつ、これら外装材２，３，…を壁１００に容易に、かつ確実に取付けることができる。
【００２７】
請求項７記載の外装材取付方法は、請求項１または２に記載の外装材取付金具１０を用いて、壁１００に、互いに隣接する外装材を合じゃくり実矧ぎによって接合して取付ける外装材取付方法であって、先ず、一方の外装材２の外側実部２ａよりも内側において、該一方の外装材２の端部２ｂに前記外装材取付金具１０の係合部１２を係合させるとともに、該外装材取付金具１０の金具本体１１を壁１００に取付けることで該一方の外装材２の一端を固定し、次いで、他方の外装材３を傾けた状態で、該他方の外装材３の内側実部３ａを、前記傾斜面１７に沿って外側実部２ａの内側に入り込ませ、次いで、他方の外装材３を前記一方の外装材２と略同一面に含まれるように倒して、該他方の外装材３の内面３ｂを前記外装材取付金具１０の支持面１６により支持させることを特徴としている。
【００２８】
請求項７記載の外装材取付方法においては、先ず、一方の外装材２の外側実部２ａよりも内側において、該一方の外装材２の端部２ｂに前記係合部１２を係合させるとともに金具本体１１を壁１００に取付けることで該一方の外装材２の一端を固定し、次いで、他方の外装材３を傾けた状態で、該他方の外装材３の内側実部３ａを、前記傾斜面１７に沿って外側実部２ａの内側に入り込ませ、次いで、他方の外装材３を前記一方の外装材２と略同一面に含まれるように倒して、該他方の外装材３の内面３ｂを支持面１６により支持させることにより、外装材２，３，…どうしを合いじゃくり実矧ぎによって接合しつつ、これら外装材２，３，…を壁１００に容易に、かつ確実に取付けることができる。
【００２９】
【発明の実施の形態】
以下、図面を参照して本発明の実施の形態例について説明する。
先ず、図１および図２に示すように、本発明に係る外装材取付金具１０は、壁パネル（壁）１００（背景の技術参照）に、互いに隣接する外装材２，３（図３参照）を合じゃくり実矧ぎによって接合して取付けるためのものであって、例えば、鉄板を折曲、及び抜き打ち加工して一体形成されたものである。
本実施例では、外装材２，３，…を縦張り（垂直方向に長尺な外装材を順次横隣に取付ける方法）する場合を例示するため、外装材取付金具１０は、各外装材２，３，…の継ぎ目に対応して垂直方向に長尺なものである。
この外装材取付金具１０は、例えば鋼製胴縁２０を介して壁パネル１００に取付けられる金具本体１１と、この金具本体１１に設けられ、互いに隣接する外装材２，３のうち、一方の外装材２の端部に形成された外側実部２ａよりも内側において、該一方の外装材の内側端部２ｂに係合する係合部１２と、金具本体１１に設けられ、外側実部２ａの内側に配置される内側実部３ａが端部に形成された他方の外装材３を、その内面３ｂにより支持する支持面１６とを備えて概略構成されている。
【００３０】
このうち、係合部１２は、外装材２の端部の内面２ｃを受ける受け面１３と、金具本体１１にほぼ直角に立設されて、外装材２における外側実部２ａよりも内側の端面２ｄの外装材３側への移動を規制する規制部１４と、この規制部１４の先端に設けられて、外装材２における外側実部２ａよりも内側の端面に形成された溝部２ｅに挿入される挿入部１５とを備えている。
受け面１３は外装材２の端部の内側への移動を規制するものであり、挿入部１５は該端部の外側への移動を規制するものである。
また、支持面１６は、外装材３の端部の内側への移動を規制するものである。
【００３１】
さらに、金具本体１１には、支持面１３よりも一方の外装材２側において、該一方の外装材２側に向かうに従い、内側に傾斜する傾斜面１７が形成されている。
加えて、金具本体１１には、該金具本体１１を壁パネル１００に固定するための固定部１８，…が設けられている。この固定部１８，…は、例えば、金具本体１１の長手方向に沿って、所定間隔毎に形成された、垂直方向に長い長穴である。
また、金具本体１１の、受け面１３の端部には脚部１９ａが、規制部１４に対応する部位には脚部１９ｂが、支持面１６の端部には脚部１９ｃが、それぞれ内側に向けてほぼ垂直に立設されている。
【００３２】
鋼製胴縁２０は、例えば、鉄板を折曲形成された水平方向に長尺なものであり、図４に示すように、外装材取付金具１０を支持する支持面２１と、壁パネル１００に固定される固定面２２とを備えている。
この鋼製胴縁２０には、例えば、図１に示すように、外装材取付金具１０を取付けるための取付具２５，…が、該鋼製胴縁２０の支持面２１から外方に突出するようにして、水平方向に所定間隔毎に設けられている。
この取付具２５，…は、例えば、リベット状のものであり、長穴である外装材取付金具１０の固定部１８，…を係止するためのものである。
【００３３】
外装材２は、その一端側に、建物の外側に偏った位置に形成され他方の外装材３側に突出する外側実部２ａを有し、他端側には、建物の内側に偏った位置に形成され、外側実部２ａと逆方向に突出する内側実部（図示省略）を有するものである。外装材２の外側実部２ａよりも内側の端面には外側実部２ａの突出方向の逆方向に切り込まれた溝部２ｅが形成されている。
他方の外装材３は、その一端側に、建物の内側に偏った位置に形成され、一方の外装材２側に突出する内側実部３ａを有し、他端側には、建物の外側に偏った位置に形成され内側実部３ａと逆方向に突出する外側実部（図示省略）を有するものであるが、外装材２と同様のものである。
【００３４】
次ぎに、外装材取付金具１０を用いた外装材取付構造について説明する。
先ず、鋼製胴縁２０，…が、その長手方向が水平方向となるように、壁パネル１００の外面に対して、垂直方向に所定間隔毎に取付けられている。
これら鋼製胴縁２０，…に対して、外装材取付金具１０，…が、その長手方向が垂直方向となるように、外装材２，３，…の継ぎ目に対応して、水平方向に所定間隔毎に固定されている。この際、外装材取付金具１０，…は、その固定部１８，…を、鋼製胴縁２０，…に設けられた取付具２５，…に対して係止することで鋼製胴縁２０，…に固定されている。この状態で、外装材取付金具１０，…の各脚部１９ａ、１９ｂ、１９ｃが鋼製胴縁２０，…の支持面２１に支持された状態となっている。
【００３５】
さらに、外装材２は、その内側端部２ｂが、係合部１２に係合されることで固定されている。詳細には、端部の内面２ｃは受け面１３に当接して該外装材２の端部の内側への移動が規制されている。また、内側端面２ｄは規制部１４により外装材３側への移動が規制されており、これにより外装材２の外装材３側への移動が規制されている。さらに、溝部２ｅは挿入部１５により外側への移動が規制され、これにより外装材２の外側への移動が規制されている。このようにして、外装材２の一端が外装材取付金具１０により固定されている。
また、他方の外装材３は、その内側実部３ａが外装材２の外側実部２ａの内側に配置されるとともに、その内面３ｂが支持面１６により支持されることで、該外装材３の端部の内側への移動が規制され、外装材３が固定されている。
【００３６】
ここで、外装材２の外側実部２ａの内面と、外装材３の内側実部３ａの外面とのうち、少なくともいずれか一方（例えば、内側実部３ａの外面）には、例えば、防水用のホットメルト、あるいはブチルゴムや乾質の防水材などからなるシール材（防水手段）３０が固定されており、上記のように外装材２，３を所定位置に配置することにより、このシール材３０が外側実部２ａの内面と内側実部３ａの外面との間隔に介装されている（図５参照）。これにより、外側実部２ａと内側実部３ａの間隔からの浸水が防止されている。
【００３７】
また、係合部１２には、その規制部１４の先端部から外装材３側に延出して外側実部２ａと内側実部３ａとの間隔に挿入される挿入片が形成されていないため、外側実部２ａと内側実部３ａとの間隔のシール材３０を内側実部３ａの先端付近に位置させることができる。その結果、前記挿入片が形成されている場合よりも内側実部３ａの長さを短く設定でき、取付作業時に該内側実部３ａが欠けたりすることを防止できる。
【００３８】
次ぎに、外装材取付金具１０を用いた外装材取付方法について説明する。
先ず、鋼製胴縁２０，…を、その長手方向が水平方向となるように、壁パネル１００の外面に対して、垂直方向に所定間隔毎に取付ける。
さらに、外装材２の他端側（図示省略）を壁パネル１００に取り付けた後、外装材２の内側端部２ｄに外装材取付金具１０の係合部１２を係合させるとともに、外装材取付金具１０の金具本体１１をその固定部１８により鋼製胴縁２０に取付けることで、外装材２の一端を固定する。
ここで、外装材取付金具１０は、その長手方向が垂直方向となるように、外装材２，３の継ぎ目位置に対応して固定する。この際、外装材取付金具１０の長手方向に亘って所定間隔毎に設けられた垂直方向に長い長穴である固定部１８，…を、鋼製胴縁２０，…に設けられたリベット状の取付具２５，…に対して係止することで外装材取付金具１０を鋼製胴縁２０，…に固定する。このとき、外装材取付金具１０は、一体形成されたものであるため、全体をワンタッチで取付けることができ、取付けが極めて容易である。
【００３９】
このように外装材取付金具１０を取り付けたら、外装材３を図１に仮想線で示すように傾けた状態で、外装材３の内側実部３ａを、傾斜面１７に沿って外側実部２ａの内側に入り込ませる。そして、外装材３を外装材２と略同一面に含まれるように倒して、外装材３の内面３ｂを支持面１６により支持させる。これにより、内側実部３ａに固定されたシール材３０が外側実部２ａの内面に圧着される。これにより、外側実部２ａと内側実部３ａの間隔からの浸水が防止される。
【００４０】
その後は、▲１▼外装材３の他端側（図示省略）に他の外装材取付金具１０の係合部１２を係合させるとともに、該外装材取付金具１０を鋼製胴縁２０に取付ける、▲２▼他の外装材（図示省略）の内側実部を外装材３の外側実部（図示省略）の内側に配置させ、この他の外装材の一端を固定する、といった作業を順次繰り返し、所望の分量の外装材２，３，…を壁パネル１００に取付ける。
【００４１】
以上のような実施の形態例によれば、互いに隣接する外装材２，３のうち、一方の外装材２の端部に形成された外側実部２ａよりも内側において、該一方の外装材２の端部に係合する係合部１２が金具本体１１に設けられているので、該係合部１２を一方の外装材２の端部２ｂに係合させることにより、容易に、該一方の外装材２の一端を固定できる。
また、外側実部２ａの内側に配置される内側実部３ａが端部に形成された他方の外装材３を、その内面３ｂから支持する支持面１６が、金具本体１１に設けられているので、この支持面１６により他方の外装材３の内面３ｂを支持させて、容易に、該他方の外装材３を取付けることができる。
つまり、外装材２，３，…どうしを合いじゃくり実矧ぎによって接合しつつ、これら外装材２，３，…を壁１００に容易に取付けることができる。
【００４２】
また、金具本体１１には、支持面１６よりも一方の外装材２側において、該一方の外装材２側に向かうに従い、内側に傾斜する傾斜面１７が形成されているので、他方の外装材３を傾けた状態で、該傾斜面１７に沿って、該他方の外装材３の内側実部３ａを一方の外装材２の外側実部２ａの内側に挿入した後、他方の外装材３を一方の外装材２と略同一面に含まれるように倒して、該他方の外装材３の内面を支持面１６により支持させることができる。よって、例えば、他方の外装材３を一方の外装材２と略同一面に含まれる状態にして、この状態のまま他方の外装材３を一方の外装材２側に移動させる必要があるような場合に比べて、他方の外装材３の取付作業を容易に行うことができる。
また、このように、他方の外装材３を傾けた状態で、該他方の外装材３の内側実部３ａを一方の外装材２の外側実部２ａの内側に挿入した後、他方の外装材３を倒して、該他方の外装材３を所定位置に配置させることができるので、他方の外装材３の他端側に内側実部３ａの長さ分だけの余裕空間がないような場合にも、他方の外装材３の取付作業を行うことができる。
【００４３】
さらに、係合部１２は、一方の外装材２の端部の内面２ｃを受ける受け面１３と、金具本体１１にほぼ直角に立設されて、一方の外装材２における外側実部２ａよりも内側の端面２ｄの他方の外装材３側への移動を規制する規制部１４と、この規制部１４の先端に設けられて、前記一方の外装材２における外側実部２ａよりも内側の端面に形成された溝部２ｅに挿入される挿入部１５とを備えているので、受け面１３によれば、一方の外装材２の端部の内側への移動を規制でき、規制部１４によれば、該端部の他方の外装材３側への移動を規制でき、挿入部１５によれば、該端部の外側への移動を規制できる。
従って、受け面１３と、規制部１４と、挿入部１５の３箇所で、一方の外装材２の端部を確実に固定することができる。
【００４４】
加えて、金具本体１１には、該金具本体１１を壁１００に固定するための固定部１８が設けられているので、この固定部１８により金具本体１１を壁１００に固定することができる。
【００４５】
外側実部２ａの内面と内側実部３ａの外面との間隔には、該間隔からの浸水を防止する防水手段３０が介装されているので、これら外側実部２ａと内側実部３ａの間隔からの浸水を防止することができる。
【００４６】
さらに、外装材取付金具１０は、その固定部１８により胴縁２０に取付けられており、この胴縁２０を介して壁１００に取付けられているので、壁１００と外装材２，３との間隔に通気領域を設定することができ、該間隔に結露が溜まったりすることを好適に防止でき、また、屋内の湿気のせいで壁１００が含んでしまった水分を外側に逃してやることができる。
【００４７】
なお、上記の実施形態例では、外装材を縦張りする例を示したが、横張りでもよい。
また、傾斜面１７は、必ずしも必要ではなく、傾斜面１７に対応する部位が支持面１６と同一面になっていても良い。
さらに、固定部１８により金具本体１１を鋼製胴縁２０に固定して、この胴縁２０を介して外装材取付金具１０を壁１００に取付けることとしたが、固定部１８により金具本体１１を壁１００に直接取付けることとしても良い。
さらに、固定部１８を長穴として、該固定部１８をリベット２５に係止する構成としたが、釘打ちにより胴縁２０または壁１００に固定される小穴等であってもよい。
【００４８】
【発明の効果】
請求項１記載の発明に係る外装材取付金具によれば、互いに隣接する外装材のうち、一方の外装材の端部に形成された外側実部よりも内側において、該一方の外装材の端部に係合する係合部が金具本体に設けられているので、該係合部を一方の外装材の端部に係合させることにより、容易に、該一方の外装材の一端を固定できる。また、外側実部の内側に配置される内側実部が端部に形成された他方の外装材を、該外装材の内面から支持する支持面が、金具本体に設けられているので、この支持面により他方の外装材の内面を支持させて、容易に、該他方の外装材を固定できる。外装材どうしを合いじゃくり実矧ぎによって接合しつつ、これら外装材を壁に容易に取付けることができる。
また、金具本体には、該金具本体を壁に固定するための固定部が設けられているので、この固定部により金具本体を壁に固定することができる。
また、金具本体には、支持面よりも一方の外装材側において、該一方の外装材側に向かうに従い、内側に傾斜する傾斜面が形成されているので、他方の外装材を傾けた状態で、該傾斜面に沿って、該他方の外装材の内側実部を一方の外装材の外側実部の内側に挿入した後、他方の外装材を一方の外装材と略同一面に含まれるように倒して、該他方の外装材の内面を支持面により支持させることができ、例えば、他方の外装材を一方の外装材と略同一面に含まれる状態にして、この状態のまま他方の外装材を一方の外装材側に移動させる必要があるような場合に比べて、他方の外装材の取付作業を容易に行うことができる。また、このように、他方の外装材を傾けた状態で、該他方の外装材の内側実部を一方の外装材の外側実部の内側に挿入した後、他方の外装材を倒して、該他方の外装材を所定位置に配置させることができるので、他方の外装材の他端側に内側実部の長さ分だけの余裕空間がないような場合にも、他方の外装材の取付作業を行うことができる。
【００５０】
請求項２記載の発明に係る外装材取付金具によれば、係合部は、一方の外装材の端部の内面を受ける受け面と、金具本体にほぼ直角に立設されて、一方の外装材における外側実部よりも内側の端面の他方の外装材側への移動を規制する規制部と、この規制部の先端に設けられて、前記一方の外装材における外側実部よりも内側の端面に形成された溝部に挿入される挿入部とを備えているので、受け面によれば、一方の外装材の端部の内側への移動を規制でき、規制部によれば、該端部の他方の外装材側への移動を規制でき、挿入部によれば、該端部の外側への移動を規制できる。従って、受け面と、規制部と、挿入部の３箇所で、一方の外装材の端部を確実に固定することができる。
【００５２】
請求項３記載の発明に係る外装材取付構造によれば、一方の外装材は、該一方の外装材の外側実部よりも内側の端部が、係合部に係合されるとともに金具本体が壁に取付けられることで固定されており、他方の外装材は、その内側実部が前記一方の外装材の外側実部の内側に配置されるとともに、その内面が前記支持面により支持されているので、外装材どうしを合いじゃくり実矧ぎによって接合して、これら外装材を壁に容易に、かつ確実に取付けることができる。
【００５３】
請求項４記載の発明に係る外装材取付構造によれば、外側実部の内面と内側実部の外面との間隔には、該間隔からの浸水を防止する防水手段が介装されているので、これら外側実部と内側実部の間隔からの浸水を防止することができる。
【００５４】
請求項５記載の発明に係る外装材取付構造によれば、外装材取付金具は、その固定部により胴縁に取付けられており、この胴縁を介して壁に取付けられているので、壁と外装材との間隔に通気領域を設定することができ、該間隔に結露が溜まったりすることを好適に防止でき、また、屋内の湿気のせいで壁が含んでしまった水分を外側に逃してやることができる。
【００５５】
請求項６記載の発明に係る外装材取付方法によれば、先ず、一方の外装材の外側実部よりも内側において、該一方の外装材の端部に係合部を係合させるとともに、金具本体を壁に取付けることで該一方の外装材の一端を固定し、次いで、他方の外装材の内側実部を一方の外装材の外側実部の内側に配置するとともに、該他方の外装材の内面を支持面により支持させることにより、外装材どうしを合いじゃくり実矧ぎによって接合しつつ、これら外装材を壁に容易に、かつ確実に取付けることができる。
【００５６】
請求項７記載の発明に係る外装材取付方法によれば、先ず、一方の外装材の外側実部よりも内側において、該一方の外装材の端部に前記係合部を係合させるとともに金具本体を壁に取付けることで該一方の外装材の一端を固定し、次いで、他方の外装材を傾けた状態で、該他方の外装材の内側実部を、前記傾斜面に沿って外側実部の内側に入り込ませ、次いで、他方の外装材を前記一方の外装材と略同一面に含まれるように倒して、該他方の外装材の内面を支持面により支持させることにより、外装材どうしを合いじゃくり実矧ぎによって接合しつつ、これら外装材を壁に容易に、かつ確実に取付けることができる。
【図面の簡単な説明】
【図１】本発明に係る外装材取付金具を用いて外装材を壁に取り付けた状態を示す平面図である。
【図２】本発明に係る外装材取付金具を示す平面図である。
【図３】外装材を示す平面図であり、このうち（ａ）は一方の外装材を示すものであり、（ｂ）は他方の外装材を示すものである。
【図４】外装材取付金具を壁に取付けるための胴縁を示す側面図である。
【図５】互いに隣り合う外装材の外側実部と内側実部の間隔に防水手段を介装した状態を示す平面図である。
【図６】壁パネルの構造を示す斜視図である。
【図７】従来の外装材の接続部付近の詳細を示す縦断面図である。
【図８】従来の外装材の取付構造の縦断面を示す縦断面図である。
【符号の説明】
２      一方の外装材
２ａ    外側実部
２ｂ    一方の外装材の外側実部よりも内側の端部
２ｃ    一方の外装材の端部の内面
２ｄ    一方の外装材の外側実部よりも内側の端面
２ｅ    溝部
３      他方の外装材
３ａ    内側実部
１０    外装材取付金具
１１    金具本体
１２    係合部
１３    受け面
１４    規制部
１５    挿入部
１６    支持面
１７    傾斜面
１８    固定部
２０    鋼製胴縁（胴縁）
３０    シール材（防水手段）
１００  壁パネル（壁）
【図１】
0004351330.tif 000002
【図２】
0004351330.tif 000003
【図３】
0004351330.tif 000004
【図４】
0004351330.tif 000005
【図５】
0004351330.tif 000006
【図６】
0004351330.tif 000007
【図７】
0004351330.tif 000008
【図８】
0004351330.tif 000009